(57)【特許請求の範囲】
【請求項１】
シャワー室のガラス引き戸構造であって、
第一レール組（１）と、二つの接続ロッド（２）と、第二レール組（３）と、二つの固定仕切り板（５）と、二つの摺動仕切り板（６）と、を含み、
前記第一レール組（１）の下端は、二つの前記接続ロッド（２）によって前記第二レール組（３）の上端と接続され、
各前記接続ロッド（２）の内側面には、いずれも一つの前記固定仕切り板（５）が取り付けられ、
前記第一レール組（１）と前記第二レール組（３）との間には、二つの前記摺動仕切り板（６）が設けられ、
二つの前記摺動仕切り板（６）は、左右に配置され、
二つの前記摺動仕切り板（６）は、二つの前記接続ロッド（２）の間に位置し、
前記第一レール組（１）は、固定摺動レール（１１）と、緩衝板（１２）と、緩衝ばね（１３）と、を含み、
前記固定摺動レール（１１）の内部には、緩衝溝が形成され、
前記緩衝溝内には、前記緩衝板（１２）が前記緩衝ばね（１３）によって接続され、
前記緩衝板（１２）は、前記緩衝溝と滑合可能に接続され、
前記第二レール組（３）は、弧状板（３１）と、固定レール（３２）と、摺動溝（３３）と、空気空間（３４）と、排出溝（３５）と、復位機構（３６）と、押動枠（３７）と、押圧ヘッド（３８）と、閉塞ブロック（３９）と、を含み、
前記弧状板（３１）の上端には、前記固定レール（３２）が取り付けられ、
前記固定レール（３２）の中央部には、前記摺動溝（３３）が形成され、
前記固定レール（３２）の前端には、前記空気空間（３４）が形成され、
前記固定レール（３２）の後端には、前記排出溝（３５）が形成され、
前記排出溝（３５）の後端には、前記閉塞ブロック（３９）が塞ぎ、
前記摺動溝（３３）と前記空気空間（３４）と前記排出溝（３５）とは、連通関係であり、
前記摺動溝（３３）の前後両端には、前記復位機構（３６）が対称に取り付けられ、
前記空気空間（３４）の内部には、前記押動枠（３７）が設けられ、
前記空気空間（３４）の左端は、前記押圧ヘッド（３８）と接続され、
前記復位機構（３６）は、押上ブロック（３６１）と、押上ばね（３６２）と、保護カバー（３６３）と、を含み、
前記押上ブロック（３６１）は、前記摺動溝（３３）と滑合可能に接続され、
前記押上ブロック（３６１）の下端は、前記押上ばね（３６２）によって前記摺動溝（３３）と接続され、
前記押上ばね（３６２）の外部には、前記保護カバー（３６３）が外装され、
前記押動枠（３７）は、接続棒（３７１）と、初期ばね（３７２）と、押動ブラシ（３７３）と、を含み、
前記接続棒（３７１）の後端は、前記初期ばね（３７２）によって前記押動ブラシ（３７３）と接続され、
前記摺動仕切り板（６）は、ガラス引き戸（６１）と、フック式スライダ（６２）と、置き溝（６３）と、押圧ブロック（６４）と、支持複滑車（６５）と、ねじ山柱（６６）と、を含み、
前記ガラス引き戸（６１）の上端は、前記フック式スライダ（６２）とボルト接続され、
前記ガラス引き戸（６１）における下端の前側には、前記置き溝（６３）が均一的に設けられ、
前記置き溝（６３）における内部の下方には、前記支持複滑車（６５）が設けられ、
前記置き溝（６３）における内部の上方には、前記押圧ブロック（６４）が設けられ、
前記押圧ブロック（６４）と前記ガラス引き戸（６１）とは、前記ねじ山柱（６６）によって接続される、
ことを特徴とするシャワー室のガラス引き戸構造。
【請求項２】
前記固定レール（３２）における上端の後側は、前から後ろへ次第に下方に傾斜している構造であり、
前記押圧ヘッド（３８）の内部は、空間構造である、
ことを特徴とする請求項１に記載のシャワー室のガラス引き戸構造。
【請求項３】
前記空気空間（３４）は、主空間と閉塞空間から構成され、
前記閉塞空間と前記主空間とは、交差して設けられ、
前記主空間の左端は、前記押圧ヘッド（３８）と接続され、
前記閉塞空間の前端内壁には、ねじ山構造が設けられる、
ことを特徴とする請求項１に記載のシャワー室のガラス引き戸構造。
【請求項４】
前記接続棒（３７１）の前端外壁には、ねじ山構造が設けられ、
前記接続棒（３７１）の中央部には、濾過板が設けられ、
前記濾過板の外壁には、ゴムリングカバーが設けられ、
前記押動ブラシ（３７３）の後端は、ヒョウタン構造であり、
前記押動ブラシ（３７３）における後端の表面には、硬質刷毛が均一的に設けられる、
ことを特徴とする請求項１に記載のシャワー室のガラス引き戸構造。
【請求項５】
前記フック式スライダ（６２）の上端には、接続ブロックが設けられ、
前記接続ブロックにおける下端の左右両側には、二つの摺動輪が心棒によって設けられ、
前記接続ブロックの左右両端には、凹み溝が対称に形成され、
前記凹み溝内には、ボールが置かれる、
ことを特徴とする請求項１に記載のシャワー室のガラス引き戸構造。
【請求項６】
前記押圧ブロック（６４）の後端は、前から後ろへ次第に上方に傾斜している構造であり、
前記押圧ブロック（６４）の下端面と前記支持複滑車（６５）の上端面とは、互いに密着して設けられる、
ことを特徴とする請求項１に記載のシャワー室のガラス引き戸構造。
【請求項７】
前記支持複滑車（６５）は、枠と滑車により構成され、
前記枠の内部には、前記滑車が心棒によって取り付けられ、
前記滑車には、円周方向に沿って連通溝が均一的に形成され、
前記枠の前後両端は、前記置き溝（６３）内に埋め込まれる、
ことを特徴とする請求項１に記載のシャワー室のガラス引き戸構造。
【発明の詳細な説明】
【技術分野】
【０００１】
本発明は、ケーブルクリップの技術分野に関し、具体的には、シャワー室のガラス引き戸構造に関する。
【背景技術】
【０００２】
シャワー室は、一般にガラス引き戸を使用するが、二つの問題がある。一つ目は、従来の引き戸は、レールが露出しており、埃が積みやすく、また、シャワーする時に、髪の毛が水流に従ってレール内に流れ、掃除しにくくなるとともに、引き戸がつまって動かせなくなる。二つ目は、ガラス引き戸の下端に接続のスライダは、ガラス引き戸全体に対し、支持と移動機能を果たし、しかし、堆積物に邪魔されて自身が摩損しやすく、交換する時にはガラス引き戸全体を構造的に分解する必要があり、操作が複雑である。
【先行技術文献】
【特許文献】
【０００３】
【特許文献１】中国特許出願公開第２０６０９１７３８号明細書
【発明の概要】
【発明が解決しようとする課題】
【０００４】
本発明は、シャワー室のガラス引き戸構造を提供し、上記の従来技術においての二つの問題を解決することを目的とする。
【課題を解決するための手段】
【０００５】
上記の目的を実現するために、シャワー室のガラス引き戸構造であって、第一レール組と、二つの接続ロッドと、第二レール組と、二つの固定仕切り板と、二つの摺動仕切り板と、を含み、前記第一レール組の下端は、二つの前記接続ロッドによって前記第二レール組の上端と接続され、各前記接続ロッドの内側面には、いずれも一つの前記固定仕切り板が取り付けられ、前記第一レール組と前記第二レール組との間には、二つの前記摺動仕切り板が設けられ、二つの前記摺動仕切り板が左右に配置され、且つ二つの前記摺動仕切り板は、二つの前記接続ロッドの間に位置する。
【０００６】
前記第一レール組は、固定摺動レールと、緩衝板と、緩衝ばねと、を含み、前記固定摺動レールの内部には、緩衝溝が形成され、前記緩衝溝内には、前記緩衝板が前記緩衝ばねによって接続され、前記緩衝板は、前記緩衝溝と滑合可能に接続され、前記第一レール組は、前記摺動仕切り板の上端に対しぶら下げと摺動の機能を果たし、前記緩衝溝を設置することで、前記摺動仕切り板の下端と前記第二レール組とが滑合する時に堆積物にあうと、前記摺動仕切り板が一定高さを上昇し、前記摺動仕切り板の下端がつまって移動できなくなることが回避でき、一定高さを上昇した前記摺動仕切り板に対し前記緩衝板と前記緩衝ばねが協力して緩衝衝撃吸収の機能を果たす。
【０００７】
前記第二レール組は、弧状板と、固定レールと、摺動溝と、空気空間と、排出溝と、復位機構と、押動枠と、押圧ヘッドと、閉塞ブロックと、を含み、前記弧状板の上端には、前記固定レールが取り付けられ、前記固定レールの中央部には、前記摺動溝が形成され、前記固定レールの前端には、前記空気空間が形成され、前記固定レールの後端には、前記排出溝が形成され、前記排出溝の後端には、前記閉塞ブロックが塞ぎ、且つ前記摺動溝と前記空気空間と前記排出溝とは、連通関係であり、前記摺動溝の前後両端には、前記復位機構が対称に取り付けられ、前記空気空間の内部には、前記押動枠が設けられ、前記空気空間の左端は、前記押圧ヘッドと接続され、作動時に、人力押動の方式によって前記摺動仕切り板の下端を連動させて前記摺動溝と滑合させ、前記摺動溝内の堆積物が多い時、前記閉塞ブロックを開き、人力で前記押圧ヘッドを押圧し、押し出された空気が前記押動枠を後方に押し出し、これによって堆積物を後側へ押し動かして掃除し、その後前記空気空間の中に浄水を注入して前記摺動溝に残った堆積物を押し流し、前記第二レール組と前記摺動仕切り板の下端とが滑合すると同時に、前記固定レール内の堆積物が掃除され、前記摺動仕切り板が移動できなくなる可能性を小さくする。
【０００８】
前記復位機構は、押上ブロックと、押上ばねと、保護カバーと、を含み、前記押上ブロックは、前記摺動溝と滑合可能に接続され、前記押上ブロックの下端は、前記押上ばねによって前記摺動溝と接続され、前記押上ばねの外部には、前記保護カバーが外装される。
【０００９】
前記押動枠は、接続棒と、初期ばねと、押動ブラシと、を含み、前記接続棒の後端は、前記初期ばねによって前記押動ブラシと接続され、作動時に、人力で前記押圧ヘッドを押圧し、押し出された空気が前記押動ブラシを後側に押し動かし、これによって前記摺動溝内の堆積物が掃除され、前記初期ばねが復位作用を果たす。
【００１０】
前記摺動仕切り板は、ガラス引き戸と、フック式スライダと、置き溝と、押圧ブロックと、支持複滑車と、ねじ山柱と、を含み、前記ガラス引き戸の上端は、前記フック式スライダとボルト接続され、前記ガラス引き戸における下端の前側には、前記置き溝が均一的に設けられ、前記置き溝における内部の下方には、前記支持複滑車が設けられ、前記置き溝における内部の上方には、前記押圧ブロックが設けられ、前記押圧ブロックと前記ガラス引き戸とは、前記ねじ山柱によって接続され、作動時に、前記接続棒と前記固定レールを取り付ける前に、前記フック式スライダを前記固定摺動レール内に係入し、これによって前記ガラス引き戸の上端を摺動可能に接続し、前記支持複滑車と前記固定レールとの係合により、前記ガラス引き戸の下端を摺動可能に接続し、摩損した前記支持複滑車を交換する時、前記ねじ山柱をねじって前記押圧ブロックと前記置き溝とを離れさせ、前記支持複滑車が前記押上ばねの押動によって上昇し、使用者が摩損した前記支持複滑車を取り出し、新しい前記支持複滑車に換え、前記押圧ブロックを挿入し、前記押圧ブロックの押圧で、前記支持複滑車が再び前記置き溝の下方に係入される。
【００１１】
好ましくは、前記固定レールにおける上端の後側は、前から後ろへ次第に下方に傾斜している構造であり、前記押圧ヘッドの内部は、空間構造である。
【００１２】
好ましくは、前記空気空間は、主空間と閉塞空間から構成され、前記閉塞空間と前記主空間とは、交差して設けられ、前記主空間の左端は、前記押圧ヘッドと接続され、前記閉塞空間の前端内壁には、ねじ山構造が設けられる。
【００１３】
好ましくは、前記接続棒の前端外壁には、ねじ山構造が設けられ、前記接続棒の中央部には、濾過板が設けられ、前記濾過板の外壁には、ゴムリングカバーが設けられ、前記押動ブラシの後端は、ヒョウタン構造であり、且つ前記押動ブラシにおける後端の表面には、硬質刷毛が均一的に設けられる。
【００１４】
好ましくは、前記フック式スライダの上端には、接続ブロックが設けられ、前記接続ブロックにおける下端の左右両側には、二つの摺動輪が心棒によって設けられ、前記接続ブロックの左右両端には、凹み溝が対称に形成され、前記凹み溝内には、ボールが置かれる。
【００１５】
好ましくは、前記押圧ブロックの後端は、前から後ろへ次第に上方に傾斜している構造であり、前記押圧ブロックの下端面と前記支持複滑車の上端面とは、互いに密着して設けられる。
【００１６】
好ましくは、前記支持複滑車は、枠と滑車により構成され、前記枠の内部には、前記滑車が心棒によって取り付けられ、前記滑車には、円周方向に沿って連通溝が均一的に形成され、前記枠の前後両端は、前記置き溝内に埋め込まれる。
【発明の効果】
【００１７】
本発明のシャワー室のガラス引き戸構造は、風によって埃や髪の毛などをすぐに掃除し、堆積物を回避でき、また、ガラス引き戸の上端と固定レールとの間に隙間を形成し、ガラス引き戸が引っかかって移動できないことを回避し、更に、ガラス引き戸を上吊りタイプにすることで、支持複滑車に働く力を弱くし、摩損を減少するとともに、支持複滑車をいつでも交換でき、交換効率を向上させる。
【００１８】
本発明のシャワー室のガラス引き戸構造は、フック式スライダと緩衝溝との間に隙間を形成することで、ガラス引き戸が邪魔されると一定距離を上昇して引き続き摺動することができ、移動できないことが回避される。
【００１９】
本発明のシャワー室のガラス引き戸構造は、シャワー前後に、押圧ヘッドを押圧することで、空気を摺動溝内に送り、埃や髪の毛を吹き、その後、浄水で摺動溝内を再び洗い流し、ガラス引き戸が堆積物に邪魔されて移動できないことが回避される。
【００２０】
本発明のシャワー室のガラス引き戸構造における支持複滑車は、単体分解可能構造であり、交換する時にガラス引き戸全体を分解する必要がなく、交換効率が向上する。
【図面の簡単な説明】
【００２１】
本願に記載の各方向が、図１と同じ向きに装置を見た際の方向である。
【００２２】
【図１】本発明の構造図である。
【図２】本発明の第一レール組と、ガラス引き戸とフック式スライダの間の断面図（右から左へ）である。
【図３】本発明の第二レール組と、摺動仕切り板との間の断面図（右から左へ）である。
【図４】本発明の押動枠の構造図である。
【図５】本発明の固定レールと、摺動溝と、空気空間と排出溝との間の断面図（上から下へ）である。
【図６】本発明の図３におけるＸの部分の局部拡大図である。
【発明を実施するための形態】
【００２３】
以下、図１〜図６を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００２４】
図１〜６に示すように、シャワー室のガラス引き戸構造であって、第一レール組１と、二つの接続ロッド２と、第二レール組３と、二つの固定仕切り板５と、二つの摺動仕切り板６と、を含み、第一レール組１の下端は、二つの接続ロッド２によって第二レール組３の上端と接続され、各接続ロッド２の内側面には、いずれも一つの固定仕切り板５が取り付けられ、第一レール組１と第二レール組３との間には、二つの摺動仕切り板６が設けられ、二つの摺動仕切り板６が左右に配置され、且つ二つの摺動仕切り板６は、二つの接続ロッド２の間に位置する。
【００２５】
第一レール組１は、固定摺動レール１１と、緩衝板１２と、緩衝ばね１３と、を含み、固定摺動レール１１の内部には、緩衝溝が形成され、緩衝溝内には、緩衝板１２が緩衝ばね１３によって接続され、緩衝板１２は、緩衝溝と滑合可能に接続され、第一レール組１は、摺動仕切り板６の上端に対しぶら下げと摺動の機能を果たし、緩衝溝を設置することで、摺動仕切り板６の下端と第二レール組３とが滑合する時に堆積物にあうと、摺動仕切り板６が一定高さを上昇し、摺動仕切り板６の下端がつまって移動できなくなることが回避でき、一定高さを上昇した摺動仕切り板６に対し緩衝板１２と緩衝ばね１３が協力して緩衝衝撃吸収の機能を果たす。
【００２６】
第二レール組３は、弧状板３１と、固定レール３２と、摺動溝３３と、空気空間３４と、排出溝３５と、復位機構３６と、押動枠３７と、押圧ヘッド３８と、閉塞ブロック３９と、を含み、弧状板３１の上端には、固定レール３２が取り付けられ、固定レール３２の中央部には、摺動溝３３が形成され、固定レール３２の前端には、空気空間３４が形成され、固定レール３２の後端には、排出溝３５が形成され、排出溝３５の後端には、閉塞ブロック３９が塞ぎ、且つ摺動溝３３と空気空間３４と排出溝３５とは、連通関係であり、摺動溝３３の前後両端には、復位機構３６が対称に取り付けられ、空気空間３４の内部には、押動枠３７が設けられ、空気空間３４の左端は、押圧ヘッド３８と接続され、作動時に、人力押動の方式によって摺動仕切り板６の下端を連動させて摺動溝３３と滑合させ、摺動溝３３内の堆積物が多い時、閉塞ブロック３９を開き、人力で押圧ヘッド３８を押圧し、押し出された空気が押動枠３７を後方に押し出し、これによって堆積物を後側へ押し動かして掃除し、その後空気空間３４の中に浄水を注入して摺動溝３３に残った堆積物を押し流し、第二レール組３と摺動仕切り板６の下端とが滑合すると同時に、固定レール３２内の堆積物が掃除され、摺動仕切り板６が移動できなくなる可能性を小さくする。
【００２７】
復位機構３６は、押上ブロック３６１と、押上ばね３６２と、保護カバー３６３と、を含み、押上ブロック３６１は、摺動溝３３と滑合可能に接続され、押上ブロック３６１の下端は、押上ばね３６２によって摺動溝３３と接続され、押上ばね３６２の外部には、保護カバー３６３が外装される。
【００２８】
押動枠３７は、接続棒３７１と、初期ばね３７２と、押動ブラシ３７３と、を含み、接続棒３７１の後端は、初期ばね３７２によって押動ブラシ３７３と接続され、作動時に、人力で押圧ヘッド３８を押圧し、押し出された空気が押動ブラシ３７３を後側に押し動かし、これによって摺動溝３３内の堆積物が掃除され、初期ばね３７２が復位作用を果たす。
【００２９】
摺動仕切り板６は、ガラス引き戸６１と、フック式スライダ６２と、置き溝６３と、押圧ブロック６４と、支持複滑車６５と、ねじ山柱６６と、を含み、ガラス引き戸６１の上端は、フック式スライダ６２とボルト接続され、ガラス引き戸６１における下端の前側には、置き溝６３が均一的に設けられ、置き溝６３における内部の下方には、支持複滑車６５が設けられ、置き溝６３における内部の上方には、押圧ブロック６４が設けられ、押圧ブロック６４とガラス引き戸６１とは、ねじ山柱６６によって接続され、作動時に、接続棒２と固定レール１１を取り付ける前に、フック式スライダ６２を固定摺動レール１１内に係入し、これによってガラス引き戸６１の上端を摺動可能に接続し、支持複滑車６５と固定レール３２との係合により、ガラス引き戸６１の下端を摺動可能に接続し、摩損した支持複滑車６５を交換する時、ねじ山柱６６をねじって押圧ブロック６４と置き溝６３とを離れさせ、支持複滑車６５が押上ばね３６２の押動によって上昇し、使用者が摩損した支持複滑車６５を取り出し、新しい支持複滑車６５に換え、押圧ブロック６４を挿入し、押圧ブロック６４の押圧で、支持複滑車６５が再び置き溝６３の下方に係入される。
【００３０】
固定レール３２における上端の後側は、前から後ろへ次第に下方に傾斜している構造であり、固定レール３２における上端の後側と、ガラス引き戸６１における下端の後側との間に形成する隙間は、前から後ろへ次第に下方に傾斜している構造であり、これによって髪の毛が直接に摺動溝３３内に落ちにくくなり、押圧ヘッド３８の内部は、空間構造であり、空気が含まれている。
【００３１】
空気空間３４は、主空間と閉塞空間から構成され、閉塞空間と主空間とは、交差して設けられ、主空間の左端は、押圧ヘッド３８と接続され、閉塞空間の前端内壁には、ねじ山構造が設けられ、作動時に、押圧ヘッド３８を押圧して空気を主空間内に押し、主空間内に押された空気が各閉塞空間内に分散し、これによって摺動溝３３内に空気を送って整理する。
【００３２】
接続棒３７１の前端外壁には、ねじ山構造が設けられ、接続棒３７１と閉塞空間の前端とは、ねじ山によって接続され、接続棒３７１の中央部には、濾過板が設けられ、堆積物が閉塞空間の内部に入ることが回避され、濾過板の外壁には、ゴムリングカバーが設けられ、押動ブラシ３７３の後端は、ヒョウタン構造であり、且つ押動ブラシ３７３における後端の表面には、硬質刷毛が均一的に設けられ、硬質刷毛は、摺動溝３３内の堆積物を掃除できるとともに、摺動溝３３内の髪の毛とからみあうことができ、髪の毛の収集に便利であり、ガラス引き戸６１が移動できなくなる状況が回避される。
【００３３】
フック式スライダ６２の上端には、接続ブロックが設けられ、接続ブロックにおける下端の左右両側には、二つの摺動輪が心棒によって設けられ、接続ブロックの左右両端には、凹み溝が対称に形成され、凹み溝内には、ボールが置かれ、摺動輪とボールを設置することで、フック式スライダ６２と緩衝溝との間の摩擦力を小さくし、且つフック式スライダ６２の上端面と緩衝溝の上端との間には、隙間が形成されることで、ガラス引き戸６１が邪魔されると一定距離を上昇して引き続き摺動でき、堆積物によって移動できなくなる状況が回避される。
【００３４】
押圧ブロック６４の後端は、前から後ろへ次第に上方に傾斜している構造であり、押圧ブロック６４の下端面と支持複滑車６５の上端面とは、互いに密着して設けられ、これによって押圧ブロック６４と支持複滑車６５との間の押圧困難度を小さくする。
【００３５】
支持複滑車６５は、枠と滑車により構成され、枠の内部には、滑車が心棒によって取り付けられ、滑車には、円周方向に沿って連通溝が均一的に形成され、これによって堆積物が空気に吹き出された後に滑車に邪魔されることが回避され、枠の前後両端は、置き溝６３内に埋め込まれる。
【００３６】
支持複滑車６５を交換する時に、
ステップ１：ねじ山柱６６を回して押圧ブロック６４と置き溝６３とを離れさせ、この時に、支持複滑車６５が押上ばね３６２に押されて上昇し、使用者は摩損した支持複滑車６５を取り出す。
ステップ２：新しい支持複滑車６５を改めて置き溝６３内に置き、押圧ブロック６４を挿入し、押圧ブロック６４の押圧で、支持複滑車６５が再び置き溝６３の下方に係入され、交換を完了とする。
【００３７】
堆積物を掃除する時：
ステップ１：押圧ヘッド３８を押圧して空気を主空間内に押し、主空間内に押された空気が各閉塞空間内に分散し、これによって摺動溝３３内に空気を送って整理する。
ステップ２：空気空間３４内に浄水を注入し、これによって摺動溝３３に残った堆積物を押し流す。
【図１】
0006961140.tif 000002
【図２】
0006961140.tif 000003
【図３】
0006961140.tif 000004
【図４】
0006961140.tif 000005
【図５】
0006961140.tif 000006
【図６】
0006961140.tif 000007